(57)【要約】      （修正有）【課題】画像形成装置の電源をオフにしてから電源をオンにするまでの経過日数に応じて、実施するメンテナンス量を減縮することで、消費電力の低減を可能とした画像形成装置を提供する。【解決手段】ＣＰＵは、画像形成装置の電源がオフになってから、電源がオンになるまでの経過日数を、リアルタイムクロックを参照することにより計測する。ＣＰＵは、計測された経過日数に応じて、メンテナンス量を減縮して、メンテナンスを実施する。また、ＣＰＵは、画像形成装置がバッテリにより駆動されていると（省エネルギーモードにより動作していると）判定すると、ＡＣアダプタにより駆動されるとき（通常モード時）に実施されるメンテナンスよりも、メンテナンス量を減縮することにより、画像形成装置のメンテナンスを実施する。【選択図】図６
2015208988.tif 000002
【特許請求の範囲】
【請求項１】
電源オフから電源オンまでの経過期間を計時するタイマ手段と、
前記経過期間に応じて実施すべき、メンテナンス量の異なるメンテナンスを対応付けて記憶する記憶手段と、
前記タイマ手段で計時した経過期間に基づき、前記記憶手段に記憶されたメンテナンスを選択する選択手段と、
前記選択手段により選択したメンテナンスを実施制御するメンテナンス制御手段と、
を有し、
前記選択手段は、前記経過期間が長くなるに従ってメンテナンス量の多いメンテナンスを選択する画像形成装置。
【請求項２】
請求項１に記載された画像形成装置において、
前記メンテナンス制御手段は、前記経過期間が予め定めた所定期間未満のときに、メンテナンスを行わないようメンテナンスの実施制御を行う画像形成装置。
【請求項３】
請求項１又は２に記載された画像形成装置において、
駆動電源として通常モード時に使用する主電源及び省エネルギーモードで使用する補助電源と、
前記駆動電源を判別する駆動電源判別手段と、
を有し、
前記選択手段は、前記駆動電源判別手段により、前記補助電源を前記駆動電源としていると判別されると、同じ経過期間に対して前記主電源を駆動電源とするときよりもメンテナンス量の少ないメンテナンスを選択する画像形成装置。
【請求項４】
請求項３に記載された画像形成装置において、
前記駆動電源判別手段により、前記補助電源を前記駆動電源としていると判別されると、前記メンテナンス制御手段が、メンテナンスを実施しないよう制御する画像形成装置。
【請求項５】
請求項３に記載された画像形成装置において、
前記駆動電源判別手段により、前記補助電源を前記駆動電源としていると判別されると、レベルカラー印刷で印刷する画像形成装置。
【請求項６】
請求項３に記載された画像形成装置において、
前記駆動電源判別手段により、前記補助電源を前記駆動電源としていると判別されると、印刷対象となる原稿の自動給紙を無効にする画像形成装置。
【請求項７】
請求項３に記載された画像形成装置において、
前記駆動電源判別手段により、前記補助電源を前記駆動電源としていると判別されると、給紙トレイ及び手差しトレイからの給紙を無効にする画像形成装置。
【請求項８】
請求項３に記載された画像形成装置において、
前記駆動電源判別手段により、前記補助電源を前記駆動電源としていると判別されると、遷移時間を短縮させて、省エネルギーモードに遷移させる画像形成装置。
【請求項９】
画像形成装置における省電力制御方法であって、
電源オフから電源オンまでの経過期間をタイマ手段で計時する計時工程と、
前記経過期間に応じて実施すべき、メンテナンス量の異なるメンテナンスを対応付けて記憶手段に記憶させる記憶工程と、
前記計時工程において計時された前記経過期間に基づき、前記記憶工程において記憶されたメンテナンスを選択する選択工程と、
前記選択工程において選択されたメンテナンスをメンテナンス制御手段により実施制御するメンテナンス制御工程と、
を有し、
前記選択工程は、前記経過期間が長くなるに従ってメンテナンス量の多いメンテナンスを選択する画像形成装置における省電力制御方法。
【発明の詳細な説明】
【技術分野】
【０００１】
本発明は、消費電力を低減する画像形成装置及びその省電力制御方法に関する。
【背景技術】
【０００２】
従来から、停電時、又は外出時等、画像形成装置に商用電源より電源を供給することができない場合、バッテリ（蓄電池）より電源を供給し、画像形成装置を稼働させることが知られている。
【０００３】
このような画像形成装置の中には、商用電源より電源が供給されない場合、商用電源を駆動電源として動作させるモード（通常モード）とは異なる、バッテリを駆動電源として動作させるモード（省エネルギーモード）により動作させる。
省エネルギーモードにおいて、画像形成装置は、例えば、一部のデバイスのみに電源を供給し、他のデバイスへの電源供給を遮断することにより、消費電力を抑え、バッテリでの動作時間を延ばしている。
【０００４】
また、省エネルギーモードで動作する画像形成装置として、さらなる電力を賄うため、生活空間内に存在する電波（電磁波）を利用して、エネルギーを供給する画像形成装置が提案されている（特許文献１）。
【０００５】
特許文献１には、省エネルギーモードにおいて、（バッテリ以外から）エネルギーを供給することについては記載されているが、消費電力を低減させることまでは記載されていない。
また、特許文献１に記載された画像形成装置では、省エネルギーモードにおいて、エネルギーを供給するために、アンテナを画像形成装置の外部に設置する必要があるが、電波の受信環境によっては充分なエネルギーを得ることができない場合がある。
そのため、特許文献１に記載された画像形成装置では、省エネルギーモードにおいて、画像形成装置のメンテナンスを行う上で必要なエネルギー（電力）を供給することができず、画像形成装置のメンテナンスを充分に行うことができない可能性がある。
【発明の概要】
【発明が解決しようとする課題】
【０００６】
本発明は、前記従来の問題に鑑みてなされたものであって、その目的は、画像形成装置において実施するメンテナンスの量を減縮することで、消費電力を低減することである。
【課題を解決するための手段】
【０００７】
本発明は、電源オフから電源オンまでの経過期間を計時するタイマ手段と、前記経過期間に応じて実施すべき、メンテナンス量の異なるメンテナンスを対応付けて記憶する記憶手段と、前記タイマ手段で計時した経過期間に基づき、前記記憶手段に記憶されたメンテナンスを選択する選択手段と、前記選択手段により選択したメンテナンスを実施制御するメンテナンス制御手段と、を有し、前記選択手段は、前記経過期間が長くなるに従ってメンテナンス量の多いメンテナンスを選択する画像形成装置に関する。
【発明の効果】
【０００８】
本発明によれば、画像形成装置において実施するメンテナンスの量を減縮することで、消費電力を低減することができる。
【図面の簡単な説明】
【０００９】
【図１】本発明の実施形態に係る画像形成装置の概略図である。
【図２】本発明の実施形態に係る画像形成装置の電源起動／遮断回路を示す図である。
【図３】本発明の実施形態に係る画像形成装置の充電回路及び電源切替回路の内部構成を示す図である。
【図４】本発明の実施形態に係る画像形成装置の充電回路及び電源切替回路の各端子における信号のタイミング図である。
【図５】実施形態１に係る画像形成装置をＡＣアダプタで駆動させたときのメンテナンスのフロー図である。
【図６】実施形態２に係る画像形成装置をＡＣアダプタ、又はバッテリで駆動させたときのメンテナンスのフロー図である。
【図７】実施形態３に係る画像形成装置をＡＣアダプタ、又はバッテリで駆動させたときのメンテナンスのフロー図である。
【発明を実施するための形態】
【００１０】
以下、本発明の実施形態について、図面を参照して説明する。
図１は、本発明の実施形態に係る画像形成装置１００を概略的に示した図である。
画像形成装置１００は、画像形成装置１００に接続された外部機器（例えば、パーソナルコンピュータ）から印刷要求があると、給紙部２にセットされた給紙トレイ（給紙バンク）３、又は手差しトレイ４に収納した記録用紙を給紙ローラにより１枚ずつ分離して上方に搬送する。
【００１１】
搬送された記録用紙は、図示しないレジストセンサの位置で一旦停止され、画像データの出力タイミングに合わせてレジストローラにより給紙される。
記録用紙は、その後ベルト搬送部で搬送され、書き込み部５で印刷される。印刷後の記録用紙は、水平搬送ローラ及び拍車により搬送され、排紙部に排紙される。
【００１２】
書き込み部５は、複数の微小なノズルからインク等の記録液を液滴化して吐出するインクジェットヘッド７（７Ａ及び７Ｂ）、及びそのインクジェットヘッド７を搭載するキャリッジ６（６Ａ及び６Ｂ）を備えている。画像形成装置１００は、印刷処理時に、キャリッジ６を記録用紙の搬送方向に対して垂直方向に走査し、インクを各色の印刷データに基づいてインクジェットヘッド７により記録用紙上に吐出する。
【００１３】
インクジェットヘッド７には、ブラックの記録液の液滴を吐出するインクジェットヘッド７Ａと、カラー（シアン、マゼンタ、イエロー）の記録液の液滴を吐出するインクジェットヘッド７Ｂがある。図１に示すように、インクジェットヘッド７Ａは、単体で、キャリッジ６Ａに保持され、インクジェットヘッド７Ｂは、シアン、マゼンタ、イエローの各ヘッドを一体として、キャリッジ６Ｂに保持される。
【００１４】
次に、画像形成装置１００のインクジェットヘッド７に関するメンテナンスについて説明する。
インクジェットヘッド７のメンテナンスには、主に空吐出と、流出がある。
空吐出とは、印刷処理を目的とせず、記録用紙以外の領域で強制的にノズルから記録液を吐出させる処理である。
流出とは、加圧、又はポンプの吸引により、記録液を流出させる処理である。
【００１５】
空吐出と、流出とでは、メンテナンスに要する消費電力が異なり、流出によるメンテナンスは、流出した記録液をワイパー等により拭う（クリーニングをする）必要があることから、通常、空吐出によるメンテナンスよりもメンテナンス量を要し、余計に電力を消費する。
【００１６】
ここで、本発明の実施形態に係る画像形成装置１００では、メンテナンスの量を減縮することで、消費電力を低減することを目的としていることから、所定の条件に基づいて、メンテナンスの内容（量）を決定し、メンテナンスを実施する。
具体的には、画像形成装置１００は、画像形成装置１００の電源がオフされてから電源がオンされるまでの経過日数（例えば、１日未満、１日以上３日未満、３日以上７日未満、７日以上２４日未満、２４日以上）に応じて、メンテナンスの内容（量）を決定する。
【００１７】
以下に、経過日数に応じて実施するメンテナンス１から４を例示する。
なお、このメンテナンス１から４は、後述の実施形態１から実施形態３において実施されるメンテナンスの例として示すものであり、また、メンテナンス１から４は、一例であって、以下のメンテナンスに必ずしも限定されない。
経過日数が１日未満の場合には、電源がオフされてから、日数がそれほど経過していないため、メンテナンスを実施しない。
経過日数が１日以上３日未満の場合には、メンテナンス対象をインクジェットヘッド７Ａとし、メンテナンス内容を空吐出として、メンテナンス１を実施する。
経過日数が３日以上７日未満の場合には、メンテナンス対象をインクジェットヘッド７Ａ及び７Ｂとし、メンテナンス内容を空吐出として、メンテナンス２を実施する。
経過日数が７日以上２４日未満の場合には、メンテナンス対象をインクジェットヘッド７Ａとし、メンテナンス内容を空吐出及び流出として、メンテナンス３を実施する。
経過日数が２４日以上の場合には、メンテナンス対象をインクジェットヘッド７Ａ及び７Ｂとし、メンテナンス内容を空吐出及び流出として、メンテナンス４を実施する。
【００１８】
このように、画像形成装置１００の電源がオフされてから電源がオンされるまでの経過日数に応じて、メンテナンスの内容を決定することで（全体のメンテナンス量を減縮することで）、経過日数に関わらず、一律に同じメンテナンスを実施する場合に比べて、
メンテナンス量を減縮することができる（メンテナンスに要する消費電力を低減させることができる）。
【００１９】
また、消費電力を低減させることに関連して、本発明の実施形態に係る画像形成装置１００は、省エネルギーモードにおいて、一部の機能を有効、又は無効にすることもできる。
一部の機能としては、例えば、レベルカラ―印刷、ＡＤＦ（Auto Document Feeder）、給紙トレイ及び手差しトレイからの給紙がある。
【００２０】
レベルカラ―印刷は、印刷対象に応じて最適な濃度を制御する印刷処理である。
省エネルギーモードにおいて、レベルカラ―印刷を有効にすることで、吐出にかかるインク量を軽減させることができるため、（通常の印刷処理に比べて）消費電力を低減させることができる。
【００２１】
ＡＤＦは自動的に原稿を送る（給紙する）装置のことで、本実施形態においては、ＡＤＦ８を、画像形成装置１００の上部に設置している。
ＡＤＦ８を用いて印刷（コピー）すると、ＡＤＦ８の動作時にモータを駆動させる必要があるため、余計に電力を消費する。そこで、画像形成装置１００は、省エネルギーモードにおいて、ＡＤＦ８を無効にすることができる。
【００２２】
給紙トレイ３及び手差しトレイ４から給紙する場合も、ＡＤＦ８と同様に、給紙動作時にモータを駆動させる必要があるため、余計に電力を消費する。そこで、画像形成装置１００は、省エネルギーモードにおいて、給紙トレイ３及び手差しトレイ４からの給紙動作を無効にすることができる。
【００２３】
また、本実施形態に係る画像形成装置１００は、駆動電源がバッテリであることを検知すると、遷移時間を短縮させて、省エネルギーモードに遷移させる。
遷移時間を短縮させるにあたり、後述するＡＣアダプタより電圧が供給されなくなった（即ち、ＨｉｇｈからＬｏｗになった）時点で、（ＡＣアダプタより供給される電圧（信号）をクロック等で確定することなく）直ちに省エネルギーモードに遷移させる。これにより、画像形成装置１００全体の消費電力を低減させることができる。
【００２４】
図２は、ＡＣアダプタ１０、又はバッテリ１２により駆動する画像形成装置１００の電源起動／遮断回路を示す図である。
ＡＣアダプタ１０、又はバッテリ１２は、画像形成装置１００の各部に、ＤＣ５Ｖ又はＤＣ３７Ｖの電圧を供給する。
【００２５】
ＡＣアダプタ１０は、商用電源（交流電源）を画像形成装置１００で利用可能な直流電源に変換する電源装置であり、変換した直流電源（電圧）Ｖ_ＡＣを充電回路１１及び電源切替回路１３に供給する。ＡＣアダプタ１０により画像形成装置１００が駆動されると、画像形成装置１００は通常モードとして動作する。
なお、本実施形態において、商用電源の電力をＡＣアダプタ１０により変換した直流電源が、画像形成装置１００における主電源となる。
【００２６】
充電回路１１は、ＡＣアダプタ１０より供給される電圧Ｖ_ＡＣから、バッテリ１２の充電用電圧Ｖ_ＣＨを生成して、バッテリ１２に蓄電（充電）するための回路である。
バッテリ（蓄電池）１２は、本発明における画像形成装置１００の補助電源であり、充電回路１１より供給される電圧Ｖ_ＣＨを蓄電（充電）する。
また、バッテリ１２は、放電時において、電源切替回路１３に電圧Ｖ_ＢＡＴを供給する。バッテリ１２により画像形成装置１００が駆動されると、画像形成装置１００は省エネルギーモードとして動作する。
なお、バッテリ１２は、省エネルギーモードにおいて、後述のリアルタイムクロックに対しても、電源を供給する。
【００２７】
電源切替回路１３は、ＡＣアダプタ１０、又はバッテリ１２のどちらを駆動電源とするか切り替える（選択する）回路である。画像形成装置１００は、電源切替回路１３により駆動電源を切り替えると、電源生成回路１４に駆動電源（電圧）Ｖ_ＢＡＴ_ＡＣを供給する。
また、電源切替回路１３は、バッテリ１２の電圧を監視し、充電回路１１に、ＡＣアダプタ１０から供給される電圧Ｖ_ＡＣを変換して、バッテリ１２に充電させるよう制御する。
電源生成回路１４は、電源切替回路１３より電圧Ｖ_ＢＡＴ_ＡＣが供給されると電源Ａ１５を生成して、電源起動／遮断回路１６に供給する。
【００２８】
電源起動／遮断回路１６は、画像形成装置１００の電源をオン又はオフする回路であり、電源Ａ１５から電圧が供給されると駆動する。
ただし、電源起動／遮断回路１６は、電源Ａ１５から電圧が供給されても、それだけでは画像形成装置１００内部に供給する電源（電源Ｂ１７）を生成しない。即ち、この場合、画像形成装置１００の電源はオフの状態に保たれる。
【００２９】
即ち、電源起動／遮断回路１６は、画像形成装置１００の電源がオフの状態から、ユーザにより操作部２０の電源ボタン２１が押下され、ＯＲ回路２３及び２４を介して、操作部２０からの電源押下信号が入力されると、電源Ａ１６より電源Ｂ１７を生成する。これにより、状態信号出力手段として機能するコントローラＩＣ１９が起動し、コントローラＩＣ１９は、電源保持信号１８をアサートすることで、ユーザが電源ボタン２１の押下を止めても、画像形成装置１００内部への電源供給を維持するように制御する（画像形成装置１００が、電源オンの状態で保たれるように制御する）。
なお、生成された電源Ｂ１７は、画像形成装置１００の各部にも供給される。
【００３０】
また、画像形成装置１００の電源をオフするために、ユーザにより電源ボタン２１が再度、押下されると、コントローラＩＣ１９は、電源保持信号１８をネゲートすることで、画像形成装置１００の電源を遮断するように制御する（画像形成装置１００が電源オフになるように制御する）。
ＯＲ回路２４には、コントローラＩＣ１９からの電源保持信号１８以外に、ＯＲ回路２３からの電源オン／オフ切替信号が入力され、またＯＲ回路２３には、操作部２０からの電源押下信号及び電源の起動／遮断を制御する電源制御信号２２が入力される。
【００３１】
電源制御信号２２は、画像形成装置１００の内部、又は外部より入力される、電源押下信号に模した制御信号であり、電源制御信号２２を制御することで、あたかもユーザが電源ボタン２１を押下したかのように画像形成装置１００の電源を起動、又は遮断することができる。
電源起動／遮断回路では、電源制御信号２２と電源押下信号を、ＯＲ回路２３の入力に接続していることから、いずれかの信号を制御することで、画像形成装置１００の電源を起動／遮断制御することができる。
【００３２】
なお、図２には図示していないが、画像形成装置１００には、画像形成装置１００を制御するＣＰＵ（Central Processing Unit）と、画像形成装置１００の内部時計として機能するリアルタイムクロックが実装されている。
ＣＰＵは、リアルタイムクロックを参照することにより、画像形成装置１００の電源がオフになってから、電源がオンになるまでの経過日数（経過時間）を計測する。ＣＰＵは、計測された経過日数、及び駆動電源（電源切替回路１３により切り替えられた電源（即ち、ＡＣアダプタ１０、又はバッテリ１２））に応じてメンテナンスの内容（量）を決定し、画像形成装置１００のメンテナンスを実施する。
【００３３】
図３は、充電回路１１及び電源切替回路１３の内部構成を示す図である。
充電回路１１は、前述のように、ＡＣアダプタ１０より供給される電圧Ｖ_ＡＣから、バッテリ１２の充電用電圧Ｖ_ＣＨを生成して、バッテリ１２に蓄電（充電）するための回路である。
充電回路１１は、例えば、チャージャＩＣ等で構成され、バッテリ１２の電圧を監視し、バッテリ１２の充放電を制御する。
【００３４】
電源切替回路１３は、ＡＣアダプタ１０から供給される電圧Ｖ_ＡＣ、又はバッテリ１２から供給される電圧Ｖ_ＢＡＴを切り替えて出力する回路である。
電源切替回路１３は、ＦＥＴ（Field Effect Transistor）１、２及び３、並びに抵抗Ｒ１、２及び３等の素子を用いた簡易な回路で構成される。
【００３５】
＋Ｖ_ＡＣ１３１は、ＡＣアダプタ１０より供給される電圧が入力される入力端子であり、＋Ｖ_ＢＡＴ１３２は、バッテリ１２より供給される電圧が入力される入力端子である。また、＋Ｖ_ＢＡＴ_ＡＣ１３３は、ＡＣアダプタ１０、又はバッテリ１２から供給される電圧を切り替えて出力する出力端子であり、＋Ｖ_ＣＨ１３５は、バッテリ１２の充電時において、充電用電圧Ｖ_ＣＨを出力する出力端子である。
電源切替回路１３において、入力端子＋Ｖ_ＡＣ１３１はＦＥＴ１及びＦＥＴ３のドレインＤ、またＦＥＴ２のゲートＧに接続され、入力端子＋Ｖ_ＢＡＴ１３２はＦＥＴ２のドレインＤに接続される。
【００３６】
ＢＴＯＮ１３４は、入力端子＋Ｖ_ＡＣ１３１に入力される電圧（ＡＣアダプタ１０より供給される電圧）をそのまま出力する出力端子である。
なお、出力端子ＢＴＯＮ１３４より出力される信号（以下、ＢＴＯＮ信号）は、不図示のＣＰＵにより、画像形成装置１００がＡＣアダプタ１０、又はバッテリ１２のいずれの電源により駆動されるか（選択されるか）を判定するために用いられる。即ち、ＣＰＵは、ＢＴＯＮ信号により、画像形成装置１００が通常モードとして動作するか、省エネルギーモードとして動作するか判定する。
具体的には、ＣＰＵは、ＢＴＯＮ信号がＨｉｇｈレベルにある場合、画像形成装置１００が通常モードとして動作すると判定し、また、ＢＴＯＮ信号がＬｏｗレベルにある場合、画像形成装置１００が省エネルギーモードとして動作すると判定する。
【００３７】
ＡＣアダプタ１０より電圧が供給されると（即ち、入力端子＋Ｖ_ＡＣ１３１にＨｉｇｈレベルの信号が入力されると）、充電回路１１の電源入力端子ＶＩＮに電圧Ｖ_ＡＣが供給され、また充電回路１１の入力端子ＡＣＩＮに、抵抗Ｒ１と抵抗Ｒ２で分圧された電圧Ｖ_ＡＣが入力される。なお、入力端子ＡＣＩＮは、ＡＣアダプタ１０の電圧を検出する入力端子である。
【００３８】
入力端子ＡＣＩＮにおいてＨｉｇｈレベルの信号が検出されると、充電回路１１は、充電回路１１の出力端子ＡＣＯＫをＬｏｗレベルに制御する。
出力端子ＡＣＯＫはＡＣアダプタ１０の電圧の検出を示す出力端子であり、出力端子ＡＣＯＫがＬｏｗレベルに制御されると、ＦＥＴ１のゲートＧがＬｏｗレベルとなり、ＦＥＴ１はオンになるので、入力端子＋Ｖ_ＡＣ１３１の電圧が出力端子＋Ｖ_ＢＡＴ_ＡＣ１３３に供給される。即ち、画像形成装置１００は、ＡＣアダプタ１０より供給される電圧により駆動される。
【００３９】
また、この場合、（入力端子＋Ｖ_ＡＣ１３１に接続される）出力端子ＢＴＯＮ１３４の電圧（ＢＴＯＮ信号）はＨｉｇｈレベルになることから、ＣＰＵは、ＡＣアダプタ１０により駆動される（通常モードとして動作する）と判定する。
【００４０】
他方、ＡＣアダプタ１０より電圧が供給されないと（入力端子＋Ｖ_ＡＣ１３１にＬｏｗレベルの信号が入力されると）、充電回路１１の入力端子ＡＣＩＮにおいて、電圧は検出されない（即ち、Ｌｏｗレベルとなる）。
入力端子ＡＣＩＮにおいてＬｏｗレベルの信号が検出されると、充電回路１１は、出力端子ＡＣＯＫをＨｉｇｈレベルに制御する。出力端子ＡＣＯＫがＨｉｇｈレベルに制御されると、ＦＥＴ１のゲートＧがＨｉｇｈレベルとなり、ＦＥＴ１はオフになり、また、（入力端子＋Ｖ_ＡＣ１３１がＬｏｗレベルであることから）ＦＥＴ２のゲートＧはＬｏｗレベルになり、ＦＥＴ２はオンになる。したがって、（バッテリ１２が入力端子＋Ｖ_ＢＡＴ１３２に接続されていることを前提に）入力端子＋Ｖ_ＢＡＴ１３２の電圧が出力端子＋Ｖ_ＢＡＴ_ＡＣ１３３に供給される。即ち、画像形成装置１００は、バッテリ１２より供給される電圧により駆動される。
【００４１】
また、この場合、（入力端子＋Ｖ_ＡＣ１３１に接続される）出力端子ＢＴＯＮ１３４の電圧（ＢＴＯＮ信号）はＬｏｗレベルになることから、ＣＰＵは、バッテリ１２により駆動される（省エネルギーモードとして動作する）と判定する。
なお、切替回路１３は、一例であって本実施形態に係る回路構成に限定されるものではない。
【００４２】
次に、（図３に示した）充電回路１１及び電源切替回路１３の各端子における信号のタイミング図を、図４Ａ〜図４Ｄに示す。
【００４３】
図４Ａは、ＡＣアダプタ１０を駆動電源とする場合の、充電回路１１及び電源切替回路１３の各端子における信号のタイミング図である。
ＡＣアダプタ１０を駆動電源とする場合は、ＡＣアダプタ１０より入力端子＋Ｖ_ＡＣ１３１に電圧が供給されると、ＡＣＩＮ信号はＬｏｗレベルからＨｉｇｈレベルに遷移する。
ＡＣＩＮ信号がＬｏｗレベルからＨｉｇｈレベルに遷移すると、充電回路１１は、所定の時間をかけて、ＡＣＯＫ信号がＨｉｇｈレベルからＬｏｗレベルに遷移するように制御する。
【００４４】
ＡＣＯＫ信号がＬｏｗレベルになるとＦＥＴ１がオンになることから、入力端子＋Ｖ_ＡＣ１３１の電圧が出力端子＋Ｖ_ＢＡＴ_ＡＣ１３３に供給される。
出力端子＋Ｖ_ＢＡＴ_ＡＣ１３３に電圧が供給されると、ＤＣ５Ｖの電圧が、制御ボードに供給される。そして、ＤＣ／ＤＣコンバータのイネーブル信号であるＨＶＣＯＮＴ信号がＨｉｇｈレベルからＬｏｗレベルになると、画像形成装置１００の画像形成部に供給される電圧が５Ｖより３７Ｖに変換される。
【００４５】
なお、出力端子ＢＴＯＮ１３４は、入力端子＋Ｖ_ＡＣ１３１にそのまま接続されることから、ＢＴＯＮ信号は、入力端子＋Ｖ_ＡＣ１３１の立ち上がりと同時に、ＬｏｗレベルからＨｉｇｈレベルに遷移する。この場合、ＣＰＵは、ＢＴＯＮ信号がＨｉｇｈレベルにあることで、画像形成装置１００がＡＣアダプタ１０により駆動される（通常モードとして動作する）と判定する。
ＣＰＵは、画像形成装置１００が通常モードで動作していると判定すると、後述の図５に示すフロー図に示す電源ＯＦＦ期間ごとに決定した各メンテナンスを実施する。
【００４６】
図４Ｂは、バッテリ１２を駆動電源とする場合の、電源切替回路１３の各端子における信号のタイミング図である。
バッテリ１２を駆動電源とする場合は、入力端子＋Ｖ_ＡＣ１３１に電圧が供給されず、（ＦＥＴ１がオフになり）ＦＥＴ２がオンになることから、入力端子＋Ｖ_ＢＡＴ１３２の電圧（電源）が出力端子＋Ｖ_ＢＡＴ_ＡＣ１３３に供給される。
【００４７】
したがって、図４Ｂに示すように、入力端子＋Ｖ_ＢＡＴ１３２の電圧がＬｏｗレベルからＨｉｇｈレベルに遷移すると（入力端子＋Ｖ_ＢＡＴ１３２に電圧が供給されると）、出力端子＋Ｖ_ＢＡＴ_ＡＣ１３３もＬｏｗレベルからＨｉｇｈレベルに遷移する。
出力端子＋Ｖ_ＢＡＴ_ＡＣ１３３に電圧が供給されると、ＤＣ５Ｖの電圧が、制御ボードに供給される。そして、ＤＣ／ＤＣコンバータのイネーブル信号であるＨＶＣＯＮＴ信号がＨｉｇｈレベルからＬｏｗレベルになると、画像形成装置１００の画像形成部に供給される電圧が５Ｖより３７Ｖに変換される。
【００４８】
なお、出力端子ＢＴＯＮ１３４は、入力端子＋Ｖ_ＡＣ１３１にそのまま接続されることから、ＢＴＯＮ信号はＬｏｗレベルで維持される。この場合、ＣＰＵは、ＢＴＯＮ信号がＬｏｗレベルにあることで、画像形成装置１００がバッテリ１２により駆動される（省エネルギーモードとして動作する）と判定する。
ＣＰＵは、画像形成装置１００が省エネルギーモードで動作していると判定すると、後述の図６、又は図７に示すフロー図に従って、通常モードとは異なる電源ＯＦＦ期間ごとに決定したメンテナンスを実施する。
【００４９】
図４Ｃは、駆動電源をＡＣアダプタ１０からバッテリ１２に切り替える場合の、電源切替回路１３の各端子における信号のタイミング図である。
駆動電源をＡＣアダプタ１０からバッテリ１２に切り替える場合、始め、入力端子＋Ｖ_ＡＣ１３１に電圧が供給された状態にあるため、図４Ｃに示すように、入力端子＋Ｖ_ＡＣ１３１の電圧はＨｉｇｈレベルで維持されている。
入力端子＋Ｖ_ＡＣ１３１の電圧がＨｉｇｈレベルで維持されると、ＦＥＴ１がオンになることから、入力端子＋Ｖ_ＡＣ１３１の電圧が出力端子＋Ｖ_ＢＡＴ_ＡＣ１３３に供給される。
【００５０】
その後に、入力端子＋Ｖ_ＡＣ１３１への電圧の供給を遮断すると、図３の電源切替回路１３において、ＦＥＴ１がオフになり、ＦＥＴ２がオンになる。この場合、バッテリ１２より入力端子＋Ｖ_ＢＡＴ１３２に電圧が供給されていることから、入力端子＋Ｖ_ＢＡＴ_１３２の電圧が出力端子＋Ｖ_ＢＡＴ_ＡＣ１３３に供給される（出力端子＋Ｖ_ＢＡＴ_ＡＣ１３３の電圧はＨｉｇｈレベルで維持される）。
【００５１】
なお、出力端子ＢＴＯＮ１３４は、入力端子＋Ｖ_ＡＣ１３１にそのまま接続されることから、入力端子＋Ｖ_ＡＣ１３１への電圧の供給を遮断すると、ＢＴＯＮ信号はＨｉｇｈレベルからＬｏｗレベルに遷移する。この場合、ＣＰＵは、ＢＴＯＮ信号がＨｉｇｈレベルからＬｏｗレベルに遷移したことで、画像形成装置１００が通常モードから省エネルギーモードに遷移したものと判定する。
【００５２】
また、図４Ｃに示すように、駆動電源が切り替えられる場合（つまり、ＢＴＯＮ信号がＨｉｇｈ又はＬｏｗレベルで変化する場合）、ＣＰＵは、所定の期間ＢＴＯＮ信号を監視し、当該期間内で１回でもＢＴＯＮ信号がＬｏｗレベルになると、画像形成装置１００が省エネルギーモードで動作していると判定し、後述の図６、又は図７に示すフロー図に従って、メンテナンスを実施する。
【００５３】
図４Ｄは、駆動電源をバッテリ１２からＡＣアダプタ１０に切り替える場合の、充電回路１１及び電源切替回路１３の各端子における信号のタイミング図である。
駆動電源をバッテリ１２からＡＣアダプタ１０に切り替える場合、始め、入力端子＋Ｖ_ＡＣ１３１に電圧が供給されていないため、図４Ｄに示すように、入力端子＋Ｖ_ＡＣ１３１の電圧はＬｏｗレベルにある。
【００５４】
入力端子＋Ｖ_ＡＣ１３１の電圧がＬｏｗレベルで維持されると、充電回路１１の入力端子ＡＣＩＮにおいて、信号がＬｏｗレベルになることから、充電回路１１はＡＣＯＫ信号をＨｉｇｈレベルに制御する。
ＡＣＯＫ信号がＨｉｇｈレベルに制御されるとＦＥＴ１がオフになり、また、入力端子＋Ｖ_ＡＣ１３１に電圧が供給されていないことからＦＥＴ２がオンになる。
この場合、バッテリ１２より入力端子＋Ｖ_ＢＡＴ１３２に電圧が供給されていることから、入力端子＋Ｖ_ＢＡＴ１３２の電圧が出力端子＋Ｖ_ＢＡＴ_ＡＣ１３３に供給される（出力端子＋Ｖ_ＢＡＴ_ＡＣ１３３の電圧がＨｉｇｈレベルになる）。
【００５５】
その後に、入力端子＋Ｖ_ＡＣ１３１に電圧を供給すると、図３の電源切替回路１３において、ＦＥＴ１がオンになり、ＦＥＴ２がオフになることから、入力端子＋Ｖ_ＡＣ１３１の電圧が出力端子＋Ｖ_ＢＡＴ_ＡＣ１３３に供給される。したがって、出力端子＋Ｖ_ＢＡＴ_ＡＣ１３３の電圧はＨｉｇｈレベルで維持される。
【００５６】
なお、出力端子ＢＴＯＮ１３４は、入力端子＋Ｖ_ＡＣ１３１にそのまま接続されることから、入力端子＋Ｖ_ＡＣ１３１への電圧を供給すると、ＢＴＯＮ信号はＬｏｗレベルからＨｉｇｈレベルに遷移する。この場合、ＣＰＵは、ＢＴＯＮ信号がＬｏｗレベルからＨｉｇｈレベルに遷移したことで、画像形成装置１００が省エネルギーモードから通常モードに遷移したものと判定する。
【００５７】
また、図４Ｄに示すように、駆動電源が切り替えられる場合（つまり、ＢＴＯＮ信号がＬｏｗ又はＨｉｇｈレベルで変化する場合）、ＣＰＵは、所定の期間ＢＴＯＮ信号を監視し、当該期間内で１回でもＢＴＯＮ信号がＬｏｗレベルになると、画像形成装置１００が省エネルギーモードで動作していると判定し、後述の図６、又は図７に示すフロー図に従って、メンテナンスを実施する。
【００５８】
（実施形態１）
図５は、画像形成装置１００をＡＣアダプタ１０で駆動させたとき（つまり、通常モードで動作させたとき）のメンテナンス決定の手順を示すフロー図である。
また、メンテナンス１からメンテナンス４は、電源ＯＦＦ期間、ここでは電源ＯＦＦからの経過日数に応じて昇順に、即ち、メンテナンス量（メンテナンスに要する消費電力）の少ないものから多いものを並べたものである。電源ＯＦＦからの経過日数に応じて、それに対応するメンテナンスが実施される。後述の実施形態２及び実施形態３においても同様である。
【００５９】
画像形成装置１００の電源をＯＮにすると（Ｓ１００）、ＣＰＵは、リアルタイムクロックを参照することにより、画像形成装置１００の電源をオフにしてからの経過日数を計測する。
ＣＰＵは、経過日数を計測すると、画像形成装置１００の電源をオフにしてからの経過日数が１日以上経過しているか否かを判定する（Ｓ１０１）。
ＣＰＵは、経過日数が１日以上経過していない場合（経過日数が１日未満の場合）（Ｓ１０１ Ｎｏ）には画像形成装置１００をスタンバイモードに移行させ（Ｓ１０９）、経過日数が１日以上経過している場合（Ｓ１０１ Ｙｅｓ）には経過日数が３日以上経過しているか否かを判定する（Ｓ１０２）。
【００６０】
ステップＳ１０２において、ＣＰＵは、経過日数が３日以上経過していない場合（経過日数が１日以上３日未満の場合）（Ｓ１０２ Ｎｏ）にはメンテナンス１を実施し（Ｓ１０３）、経過日数が３日以上経過している場合（Ｓ１０２ Ｙｅｓ）には、さらに経過日数が７日以上経過しているか否かを判定する（Ｓ１０４）。
【００６１】
ステップＳ１０４において、ＣＰＵは、経過日数が７日以上経過していない場合（経過日数が３日以上７日未満の場合）（Ｓ１０４ Ｎｏ）にはメンテナンス２を実施し（Ｓ１０５）、経過日数が７日以上経過している場合（Ｓ１０４ Ｙｅｓ）には経過日数が２４日以上経過しているか否かを判定する（Ｓ１０６）。
【００６２】
ステップＳ１０６において、ＣＰＵは、経過日数が２４日以上経過していない場合（経過日数が７日以上２４日未満の場合）（Ｓ１０６ Ｎｏ）にはメンテナンス３を実施し（Ｓ１０７）、経過日数が２４日以上経過している場合（Ｓ１０６ Ｙｅｓ）にはメンテナンス４を実施する（Ｓ１０８）。
【００６３】
なお、メンテナンス１（Ｓ１０３）、メンテナンス２（Ｓ１０５）、メンテナンス３（Ｓ１０７）、又はメンテナンス４（Ｓ１０８）が終了すると、ＣＰＵは、画像形成装置１００をスタンバイモードに移行させる（Ｓ１０９）。
【００６４】
図５のフロー図に示すように、ＣＰＵは、電源をオフにしてからの経過日数を計測すると、その経過日数に応じて、メンテナンス１から４を実施する。
次に、画像形成装置１００をＡＣアダプタ１０、又はバッテリ１２で駆動させたときのメンテナンスのフローに関して、実施形態２及び実施形態３として、説明する。
【００６５】
（実施形態２）
図６は、画像形成装置１００をＡＣアダプタ１０、又はバッテリ１２で駆動させたときのメンテナンス決定の手順を示すフロー図である。なお、画像形成装置１００をバッテリ１２で駆動させると、画像形成装置は省エネルギーモードで動作する。
【００６６】
画像形成装置１００の電源をＯＮにすると（Ｓ２００）、ＣＰＵは、リアルタイムクロックを参照することにより、画像形成装置１００の電源をオフにしてからの経過日数を計測する。
ＣＰＵは、経過日数を計測すると、ＢＴＯＮ信号により、駆動電源がバッテリか否かを判定する（Ｓ２０１）。具体的には、ＣＰＵは、ＢＴＯＮ信号がＬｏｗレベルにある場合にはバッテリ１２により駆動されていると判定し（Ｓ２０１ Ｙｅｓ）、ＢＴＯＮ信号がＨｉｇｈレベルにある場合にはバッテリ１２により駆動されていない（ＡＣアダプタ１０により駆動されている）と判定する（Ｓ２０１ Ｎｏ）。
【００６７】
ＣＰＵは、ＢＴＯＮ信号により、画像形成装置１００がバッテリ１２により駆動されていないと（ＡＣアダプタ１０により駆動されていると）判定すると（Ｓ２０１ Ｎｏ）、画像形成装置１００の電源をオフにしてからの経過日数が１日以上経過しているか否かを判定する（Ｓ２０２）。
【００６８】
ＣＰＵは、経過日数が１日以上経過していない場合（経過日数が１日未満の場合）（Ｓ２０２ Ｎｏ）には画像形成装置１００をスタンバイモードに移行させ（Ｓ２１０）、経過日数が１日以上経過している場合（Ｓ２０２ Ｙｅｓ）には経過日数が３日以上経過しているか否かを判定する（Ｓ２０３）。
【００６９】
ステップＳ２０３において、ＣＰＵは、経過日数が３日以上経過していない場合（経過日数が１日以上３日未満の場合）（Ｓ２０３ Ｎｏ）にはメンテナンス１を実施し（Ｓ２０４）、経過日数が３日以上経過している場合（Ｓ２０３ Ｙｅｓ）には経過日数が７日以上経過しているか否かを判定する（Ｓ２０５）。
【００７０】
ステップＳ２０５において、ＣＰＵは、経過日数が７日以上経過していない場合（経過日数が３日以上７日未満の場合）（Ｓ２０５ Ｎｏ）にはメンテナンス２を実施し（Ｓ２０６）、経過日数が７日以上経過している場合（Ｓ２０５ Ｙｅｓ）には経過日数が２４日以上経過しているか否かを判定する（Ｓ２０７）。
【００７１】
ステップＳ２０７において、ＣＰＵは、経過日数が２４日以上経過していない場合（経過日数が７日以上２４日未満の場合）（Ｓ２０７ Ｎｏ）にはメンテナンス３を実施し（Ｓ２０８）、経過日数が２４日以上経過している場合（Ｓ２０７ Ｙｅｓ）にはメンテナンス４を実施する（Ｓ２０９）。
なお、メンテナンス１（Ｓ２０４）、メンテナンス２（Ｓ２０６）、メンテナンス３（Ｓ２０８）、又はメンテナンス４（Ｓ２０９）が終了すると、ＣＰＵは、画像形成装置１００をスタンバイモードに移行させる（Ｓ２１０）。
【００７２】
また、ステップＳ２０１において、ＣＰＵは、ＢＴＯＮ信号により、画像形成装置１００がバッテリ１２により駆動されていると判定すると（Ｓ２０１ Ｙｅｓ）、画像形成装置１００の電源をオフにしてからの経過日数が７日以上経過しているか否かを判定する（Ｓ２１１）。
【００７３】
ステップＳ２１１において、ＣＰＵは、経過日数が７日以上経過していない場合（経過日数が７日未満の場合）（Ｓ２１１ Ｎｏ）にはメンテナンス１を実施し（Ｓ２０４）、経過日数が７日以上経過している場合（Ｓ２１１ Ｙｅｓ）には経過日数が２４日以上経過しているか否かを判定する（Ｓ２１２）。
【００７４】
ステップＳ２１２において、ＣＰＵは、経過日数が２４日以上経過していない場合（経過日数が７日以上２４日未満の場合）（Ｓ２１２ Ｎｏ）にはメンテナンス２を実施し（Ｓ２０６）、経過日数が２４日以上経過している場合（Ｓ２１２ Ｙｅｓ）にはメンテナンス３を実施する（Ｓ２０８）。
なお、メンテナンス１（Ｓ２０４）、メンテナンス２（Ｓ２０６）、又はメンテナンス３（Ｓ２０８）が終了すると、ＣＰＵは、画像形成装置１００をスタンバイモードに移行させる（Ｓ２１０）。
【００７５】
（実施形態３）
図７は、画像形成装置１００をＡＣアダプタ１０、又はバッテリ１２で駆動させたときのメンテナンス決定の手順を示すフロー図である。なお、画像形成装置１００をバッテリ１２で駆動させると、画像形成装置は省エネルギーモードで動作する。
【００７６】
画像形成装置１００の電源をＯＮにすると（Ｓ３００）、ＣＰＵは、リアルタイムクロックを参照することにより、画像形成装置１００の電源をオフにしてからの経過日数を計測する。
ＣＰＵは、経過日数を計測すると、ＢＴＯＮ信号により、駆動電源がバッテリか否かを判定する（Ｓ３０１）。具体的には、ＣＰＵは、ＢＴＯＮ信号がＬｏｗレベルにある場合にはバッテリ１２により駆動されていると判定し（Ｓ３０１ Ｙｅｓ）、ＢＴＯＮ信号がＨｉｇｈレベルにある場合にはバッテリ１２により駆動されていない（ＡＣアダプタ１０により駆動されている）と判定する（Ｓ３０１ Ｎｏ）。
【００７７】
ＣＰＵは、ＢＴＯＮ信号により、画像形成装置１００がバッテリ１２により駆動されていないと（ＡＣアダプタ１０により駆動されていると）判定すると（Ｓ３０１ Ｎｏ）、画像形成装置１００の電源をオフにしてからの経過日数が１日以上経過しているか否かを判定する（Ｓ３０２）。
【００７８】
ＣＰＵは、経過日数が１日以上経過している場合（Ｓ３０２ Ｙｅｓ）には経過日数が３日以上経過しているか否かを判定する（Ｓ３０３）。
ステップＳ３０３において、ＣＰＵは、経過日数が３日以上経過していない場合（経過日数が１日以上３日未満の場合）（Ｓ３０３ Ｎｏ）にはメンテナンス１を実施し（Ｓ３０４）、経過日数が３日以上経過している場合（Ｓ３０３ Ｙｅｓ）には経過日数が７日以上経過しているか否かを判定する（Ｓ３０５）。
【００７９】
ステップＳ３０５において、ＣＰＵは、経過日数が７日以上経過していない場合（経過日数が３日以上７日未満の場合）（Ｓ３０５ Ｎｏ）にはメンテナンス２を実施し（Ｓ３０６）、経過日数が７日以上経過している場合（Ｓ３０５ Ｙｅｓ）には経過日数が２４日以上経過しているか否かを判定する（Ｓ３０７）。
【００８０】
ステップＳ３０７において、ＣＰＵは、経過日数が２４日以上経過していない場合（経過日数が７日以上２４日未満の場合）（Ｓ３０７ Ｎｏ）にはメンテナンス３を実施し（Ｓ３０８）、経過日数が２４日以上経過している場合（Ｓ３０７ Ｙｅｓ）にはメンテナンス４を実施する（Ｓ３０９）。
【００８１】
なお、メンテナンス１（Ｓ３０４）、メンテナンス２（Ｓ３０６）、メンテナンス３（Ｓ３０８）、又はメンテナンス４（Ｓ３０９）が終了すると、ＣＰＵは、画像形成装置１００をスタンバイモードに移行させる（Ｓ３１０）。
【００８２】
また、ステップＳ３０１において、ＣＰＵは、ＢＴＯＮ信号により、画像形成装置１００がバッテリ１２により駆動されていると判定すると（Ｓ３０１ Ｙｅｓ）、いずれのメンテナンスも実施することなく、画像形成装置１００をスタンバイモードに移行させる（Ｓ３１０）。
【００８３】
以上、説明したように、本発明の実施形態に係る画像形成装置によれば、画像形成装置１００の電源をオフにしてから電源をオンにするまでの経過日数を計測し、その経過日数により、メンテナンスの消費電力を考慮して、メンテナンス量を減縮する。そのため、経過日数に関わらず、一律に同じメンテナンス量でメンテナンスを実施する場合に比べて、メンテナンス量を減縮することができ、バッテリの消費電力を低減することができる。また、いずれの場合も、電源をオフしてから一定期間（ここでは、１日）未満の場合にはメンテナンスを行うことがないため、全体としてのメンテナンス量を減縮することができ、バッテリの消費電力を低減することができる。
また、本発明の実施形態３に係る画像形成装置によれば、画像形成装置１００がバッテリ１２により駆動されていると判定したときは、メンテナンスを行わないことでバッテリの消費電力を低減することができる。
さらに、省エネルギーモードにおいて、画像形成装置１００の一部の機能（レベルカラ―印刷、ＡＤＦ、給紙トレイ及び手差しトレイからの給紙）を有効、又は無効にすることで、消費電力を低減することができる。
【符号の説明】
【００８４】
１０…ＡＣアダプタ、１１…充電回路、１２…バッテリ、１３…電源切替回路、１４…電源生成回路、１５…電源Ａ、１６…電源起動／遮断回路、１７…電源Ｂ、１８…電源保持信号、１９…コントローラＩＣ、２０…操作部、２１…電源ボタン、２２…電源制御信号。
【先行技術文献】
【特許文献】
【００８５】
【特許文献１】特許公開２０１３−１７４８８７号公報
【図１】
2015208988.tif 000003
【図２】
2015208988.tif 000004
【図３】
2015208988.tif 000005
【図４】
2015208988.tif 000006
【図５】
2015208988.tif 000007
【図６】
2015208988.tif 000008
【図７】
2015208988.tif 000009